(57)【特許請求の範囲】
【請求項１】
容器と、作用ユニットとからなる液体を活性化させる作用をもったドリッパーであって、
容器の一側には取っ手が設けられ、容器の底部には少なくとも一つの通孔が設けられ、
作用ユニットは、容器下方に設けられ、作用ユニットは、導入領域と、気圧領域と、排出領域とを備え、その内、導入領域は通孔と連通し、気圧領域は導入領域と連通するとともに導入領域より小さく、気圧領域には空気を進入させるための通気孔が設けられ、通気孔は傾斜状を呈し、排出領域は気圧領域と連通し、排出領域は、上側が小さく下に向かうにつれ大きくなる形状を呈し、容器、導入領域、気圧領域、排出領域の間は、内側方向に向けて設けられた少なくとも一つの階段状部を備え、
以上の構造により、容器内の混合液が気圧領域内に流入した際、通気孔によって混合液に所定の気圧が与えられ、容器と作用ユニットにはベンチュリ（Ｖｅｎｔｕｒｉ）効果が生じ、混合液に圧力差が生じて流れの速度が速くなり、ひいては混合液の分子が活性化、細分化され、排出領域を通過して流出することを特徴とする、液体を活性化させる作用をもったドリッパー。
【請求項２】
容器内には、上部が大きく下部が小さい形状の円弧表面と、相互に対応し且つ底部が上に延伸してなる二つの斜面とが設けられ、容器内には複数の突体が設けられることを特徴とする、請求項１に記載の液体を活性化させる作用をもったドリッパー。
【請求項３】
液体を活性化させる作用をもったドリッパーは、更に、台座を備え、台座には固定フレームが設けられ、固定フレームには作用ユニットが差し込まれ、固定フレームの上側面は、容器の底部を支えることを特徴とする、請求項１に記載の液体を活性化させる作用をもったドリッパー。
【発明の詳細な説明】
【技術分野】
【０００１】
本発明はドリッパーに関し、特に通気孔によって混合液に所定の気圧を与え、混合液に圧力差を生じさせて、流れの速度を速くした後に流出させることにより、混合液の分子を活性化、細分化させることが可能な、液体を活性化させる作用をもったドリッパーに関する。
【背景技術】
【０００２】
都会の繁栄と進歩につれ、近年は、コーヒーのチェーン店が街にあふれており、サラリーマンや、友人同士などが、コーヒーやお茶を人と人の距離を近づけるツールとして利用している。コーヒーやお茶を淹れるために必要な器具や時間はそれほどおおくないため、経済的であり、時間も節約できるなどの利点があり、多くの人から歓迎されている。しかしながら、現在のところ、一般的に普及しているコーヒードリッパーは構造が複雑、操作が不便等の欠点がある。  
【０００３】
そこで、本発明者は、過去に、いくつかのドリッパーの特許を申請し特許権を取得しているが、それに満足せず、新しいものを創り出そうと研究を重ね、従来のコーヒードリッパーを改良した新しい発明を考案した。
【０００４】
従来のコーヒードリッパーには、カップが設けられ、主に、カップの底部には複数の流出孔が設けられている。使用者が使用する時は、カップを容器上に置くとともに、カップ内にコーヒー粉を詰めたコーヒーフィルターを入れる。お湯を加えると、コーヒー粉とお湯で形成されるコーヒー液は、まず、コーヒーフィルターに濾過された後、さらに、流出孔から流出する。しかしながら、コーヒー液は直接流出し、留まって浸る作用がないため、コーヒー液が完全に抽出されることがなく、しかも、圧力差が全くなく、コーヒー液の分子が活性化、細分化されることがないため、従来のコーヒードリッパーは、せいぜいコーヒーフィルターの濾過作用を備えているだけであり、コーヒー液を活性化し、細分化してよりよい飲み心地にすることに関しては、何の効果もない。
【０００５】
本発明者は、従来のコーヒードリッパーの欠点に鑑み、製品を改良して新しいものを創り出そうという理念のもと、長年の製品設計開発に従事した実務経験を生かし、何度も研究開発と実験重ねた結果、本発明を考案するに至った。
【発明の概要】
【発明が解決しようとする課題】
【０００６】
そこで、本発明は、液体を活性化させる作用をもったドリッパーを提供することを目的とする。
【課題を解決するための手段】
【０００７】
上述の目的を達成するために、本発明による液体を活性化させる作用をもったドリッパーは、容器と、作用ユニットとからなる。容器の一側には取っ手が設けられ、容器の底部には少なくとも一つの通孔が設けられる。作用ユニットは、容器下方に設けられ、作用ユニットは、導入領域と、気圧領域と、排出領域とを備える。その内、導入領域は通孔と連通し、気圧領域は導入領域と連通するとともに導入領域より小さく、気圧領域には空気を進入させるための通気孔が設けられ、通気孔は傾斜状を呈し、排出領域は気圧領域と連通し、排出領域は、上側が小さく下に向かうにつれ大きくなる形状を呈し、容器、導入領域、気圧領域、排出領域の間は、内側方向に向けて設けられた少なくとも一つの階段状部を備える。以上の構造により、容器内の混合液が気圧領域内に流入した際、通気孔によって混合液に所定の気圧が与えられ、容器と作用ユニットにはベンチュリ（Ｖｅｎｔｕｒｉ）効果が生じ、混合液に圧力差が生じて流れの速度が速くなり、ひいては混合液の分子が活性化、細分化され、排出領域を通過して流出する。
【図面の簡単な説明】
【０００８】
【図１】本発明の斜視図である。
【図２】本発明の一部を切断した状態を示した斜視図である。
【図３】本発明の断面図である。
【図４】本発明を使用した状態の断面図である。
【図５】本発明と台座の分解斜視図である。
【図６】本発明にコーヒーフィルターを取り付け台座に設置した使用実施例を示した説明図である。
【図７】本発明にストレーナーを取り付け台座に設置した使用実施例を示した説明図である。
【図８】本発明の通気孔に弁体を設けた状態を示した断面図である。
【発明を実施するための形態】
【０００９】
貴審査官に、本発明の各機能、特徴を更に理解してもらうために、以下に、具体的な実施例と図を用いて本発明の詳細な説明を行う。
【００１０】
図１に示すように、本発明の好ましい実施例は、コーヒー液を入れるための容器１０と、容器１０下方に設けられた作用ユニット２０とからなる。作用ユニット２０は、容器１０より小さく、コーヒー液に所定の気圧を与えることができ、それにより、コーヒー液にまず圧力差が生じ、流れが速くなった後、更に流れでて、コーヒー液の分子が活性化され、細分化され、飲んだ時の喉越しがよくなる。
【００１１】
図２と図３に示すように、容器１０の一側には、手で握るのに便利な取っ手１１が設けられ、容器１０の底部には、コーヒー液を通過させるための複数の通孔１２が設けられ、容器１０内には、上部が大きく下部が小さい形状の円弧表面１３と、相互に対応し且つ底部が上に延伸してなる二つの斜面１４が設けられる。容器１０内には、長い棒形状の複数の突体１５が設けられ、容器１０の内側壁と底部の間は円弧状の角部１６を備え、それにより、液体導流作用が生じるとともに洗うのに便利である。
【００１２】
作用ユニット２０は、容器１０の下方に設けられるとともに、導入領域２１と、気圧領域２２と、排出領域２３とからなる。その内、導入領域２１は容器１０より小さく、且つ、通孔１２を介して容器１０と連通する。気圧領域２２は導入領域２１に連通し、気圧領域２２の直径は、導入領域２１より小さいか、或いは等しい。また、気圧領域２２には、空気を進入させるための通気孔２２１が設けられ、通気孔２２１は、本実施例では、傾斜状である。なお、通気孔２２１は、水平状にすることもできる。また、本実施例における気圧領域２２は導入領域２１より小さく、気圧領域２２と導入領域２１の間は、階段状部２１１が形成される。また、排出領域２３と気圧領域２２は連通し、排出領域２３は、上側が小さく下に向かって徐々に大きくなる形状（ラッパに似た形状）を形成し、それにより、コーヒー液が流れ出る時に噴出效果が生じる。さらに、排出領域２３の直径は、気圧領域２２より小さいか、或いは等しい。また、本実施例において、排出領域２３は気圧領域２２より小さく、排出領域２３と気圧領域２２の間には階段状部２２２が形成される。
【００１３】
図４に示すように、本発明を使用する時は、使用者が手で取っ手１１を握って容器１０を持ち、容器１０に混合液（例えば、お湯でコーヒー粉を溶かして形成させたコーヒー液）を入れると、容器１０の混合液は通孔１２を通過して導入領域２１に入り、混合液は導入領域２１を通過した後、気圧領域２２内に進入する。この時、本発明の外部の空気は通気孔２２１から気圧領域２２内に進入して、混合液に所定の気圧を与え、導入領域２１と気圧領域２２の直径は容器１０より小さいため、容器１０と作用ユニット２０にはベンチュリ（Ｖｅｎｔｕｒｉ）効果が生じ、混合液が導入領域２１と気圧領域２２を通過する時に圧力差が生じて流れの速度が速くなり、さらに、混合液は、排出領域２３を通過することで泡状を形成して噴出され、ひいては、混合液の分子が活性化、細分化され、飲んだ時の喉越しがよくなる。
【００１４】
図４から分かるように、混合液が作用ユニット２０の階段状部２１１、２２２を通過する時、混合液は垂直に流れ落ちて衝撃が生じ、ばらばらになり、混合液は階段状部２１１、２２２に沿って曲がり、さらに垂直に流れ落ちて乱流、激流効果が生じ、それに加えて、混合液が気圧領域２２を通過する時に生じる激流は、外部の空気を、通気孔２２１を介して気圧領域２２内に進入させ、混合液に所定の気圧を与えるため、混合液が導入領域２１、気圧領域２２を通過する時に、流体力学の原理に基づいて更に大きな圧力差が生じて流れる速度が更に速くなり、混合液が排出領域２３を通過する時、排出領域２３は上が小さく下に向かうにつれ徐々に大きくなるラッパ状を呈しているため、混合液は、狭い箇所から広い箇所に急速に流れ出て泡状（ソーダー水に似た形状）になって噴出する。流れ出た混合液分子は活性化され、細分化され、ナノ化される。
【００１５】
図５、図６に示すように、本発明を使用する時は、コーヒー粉を詰めたコーヒーフィルター３０を容器１０内に置き、さらに、お湯を加えてコーヒー液を形成させると、コーヒー液はコーヒーフィルター３０に濾過される以外に、円弧表面１３、斜面１４、突体１５間の導流作用によって、コーヒー液はスムーズに作用ユニット２０に導流し、コーヒー液は、作用ユニット２０を介して活性化された後、噴出される。
【００１６】
また、本発明には、更に、台座４０を設ける。台座４０には固定フレーム４１が設けられ、固定フレーム４１には作用ユニット２０が差し込まれ、固定フレーム４１の上側面は容器１０の底部を支える。それによって、使用者が使用する時、手で本発明を持つ必要がなく、本発明を台座４０に固定することで所定の高さを保つことができる。また、台座４０における作用ユニット２０に対応する箇所にはカップ５０が置かれ、カップ５０には、作用ユニット２０内で活性化されて噴出するコーヒー液が注がれ、人が飲むことができる。
【００１７】
図７に示すように、本発明は、コーヒー粉を詰めたストレーナー６０を容器１０内に設けることができ、お湯を入れてコーヒー液を形成させることができる。
【００１８】
図８に示すように、本発明の通気孔２２１内には、単一方向進出作用を備える弁体２４を設けることができ、それにより、外部の空気だけを進入させ、気圧領域２２内の混合液が流出したり、滲み出たりするのを防ぐことができる。
【符号の説明】
【００１９】
１０        容器                      
１１        取っ手
１２        通孔                      
１３        円弧表面
１４        斜面                      
１５        突体
２０        作用ユニット              
２１        導入領域
２１１      階段状部                    
２２        気圧領域
２２１      通気孔                
２２２      階段状部
２３        排出領域                  
２４        弁体
３０        コーヒーフィルター
４０        台座                  
４１        固定フレーム
５０        カップ                      
６０        ストレーナー
【図１】
0005303812.tif 000002
【図２】
0005303812.tif 000003
【図３】
0005303812.tif 000004
【図４】
0005303812.tif 000005
【図５】
0005303812.tif 000006
【図６】
0005303812.tif 000007
【図７】
0005303812.tif 000008
【図８】
0005303812.tif 000009